(57)【要約】【課題】容器の底面に沿って流れる冷気を容器内へ効率よく取り入れることができるようにする。【解決手段】庫内３に配置された容器７の底面７ｄに、その底面７ｄから容器７の前壁面７ａにわたって開口する冷気取入用の冷気通過孔２７を設ける。【選択図】      図１
2005003315.tif 000002
【特許請求の範囲】
【請求項１】
庫内を流れる冷気の一部が容器の前壁面を通りその容器の底面前方から後方へ向かって冷気が流れる一方、前記容器の底面に、その底面から前記容器の前壁面にわたって開口する冷気通過孔を備えていることを特徴とする冷気循環式保存庫。
【請求項２】
前記冷気通過孔は、庫内に複数配置された最下位の容器に設けられていることを特徴とする請求項１記載の冷気循環式保存庫。
【請求項３】
前記冷気通過孔は、前記容器の前壁面から底面へ続くコーナ部を内側へ向かって屈曲させた断面アングル状の屈曲領域部にわたって設けられていることを特徴とする請求項１又は２記載の冷気循環式保存庫。
【請求項４】
前記冷気通過孔は、上方に立上がる板状のストッパを備えていることを特徴とする請求項１、２、３のいずれかに記載の冷気循環式保存庫。
【請求項５】
前記冷気通過孔は、庫内底部に設けられ上方へ向け冷気を誘導する誘導案内部の上方に位置していることを特徴とする請求項３又は４のいずれかに記載の冷気循環式保存庫。
【発明の詳細な説明】
【０００１】
【発明の属する技術分野】
この発明は、食品棚にかわって食料品等を入れる容器を備えた冷気循環式保存庫に関する。
【０００２】
【従来の技術】
従来、食品棚にかわって食料品等を入れる容器を上下方向に複数箇配置したタイプがある。庫内に配置された複数箇の容器は、庫内を循環する冷気によって冷却されるようになっている。
【０００３】
庫内に吹き出された冷気は上から下へ向かって流れ、その内の冷気の一部は各容器の周囲、あるいは、内部をそれぞれ通過しながら下降するようになっている（特許文献１参照）。
【０００４】
【特許文献１】
特開平２−２０３１８４号公報
【０００５】
【発明が解決しようとする課題】
上下に配置された各容器は、上から下へ向かって冷気が順次下降することで冷却が行なわれるようになるが、冷気は前記した如く上から下へ向かって流れるため、その冷気の流れをみると上位側に位置する容器は下位に位置する容器にとって障害となる。特に、容器内に食料品等が入っている時にはそれが冷気の流れを阻害する阻害要因となって冷気が内部を通過しにくくなり、下位に位置する容器ほど冷気が届きにくい面があった。
【０００６】
また、最下位に位置する容器の後側は冷凍サイクルを構成する圧縮機等が配置される機械室となっているため、その機械室の影響によって庫内の奧行きスペースが小さくなっている。このために庫内の後壁面は機械室に沿って庫内側へ張り出す形状となり、その段差部に冷気循環用の戻り口が設けられるようになっている。
【０００７】
この冷気循環用の戻り口は最下位の容器の後方上部で、最下位から２番目の容器の底部後方下位となるレイアウトとなるため、最下位から２番目の容器を通過した冷気は冷気循環用の戻り口へ向かう冷気の流れが作られるために、最下位の容器へ下降しずらくなることと、特に、容器前壁面を下降した冷気が底面前方から後方へ抜ける時に、その容器底面に設けられた冷気通過孔から内部へ冷気が取り入れられにくい面があり、各容器の上と下とで温度差による冷却むらが発生する不具合いがあった。
【０００８】
そこで、この発明にあっては、容器の底面を流れる冷気が容器内へ効率よく流れるよう工夫した冷気循環式保存庫を提供することを目的としている。
【０００９】
【課題を解決するための手段】
前記目的を達成するために、この発明にあっては、庫内を流れる冷気の一部が容器の前壁面を通りその容器の底面前方から後方へ向かって冷気が流れる一方、前記容器の底面に、その底面から前記容器の前壁面にわたって開口する冷気通過孔を設けるようにしたことを特徴とする。
【００１０】
これにより、庫内へ吹き出された冷気の一部は容器の前壁面を通り、容器の側方及び底面前方から後方へ向かって流れ、容器の外周を冷却する。この場合、容器の前壁面を通り、底面前方から後方へ向かって冷気が流れる時に、前壁面にわたって開口する冷気通過孔によって効率よく確実に容器内部へ冷気が取り入れられ、内部冷却が行なわれる。
【００１１】
この場合、前記冷気通過孔を設けるにあたって、冷気が流れにくい、庫内に複数配置された最下位の容器にのみとしてもよい。あるいは、効率よく冷気が取り入れられるように庫内底部に設けられた上方へ向け冷気を誘導する誘導案内部の上方に位置させるようにしたり、あるいは、前記容器の前壁面から底面へ続くコーナ部を内側へ向かって屈曲させた断面アングル状の屈曲領域部にわたって設けるようにしてもよい。あるいは、食料品等により冷気取入口が塞がれることがないよう上方に立上がる板状のストッパを設けるようにすることが望ましい。
【００１２】
【発明の実施の形態】
以下図１乃至図７の図面を参照しながらこの発明の実施の形態について具体的に説明する。
【００１３】
図１は冷気循環式保存庫１の概要断面図を示している。この実施形態では庫内３全体を冷凍室として使用可能となっていて、庫内３の上部には食品棚５が、その下方には複数箇の容器７がそれぞれ配置されている。
【００１４】
各容器７は前方の扉９を開けることで引出し可能となっていて、例えば、冷凍食品等の出し入れが可能となっている。
【００１５】
最下位の容器７の後側は、機械室１１となっていて、その機械室１１が内側へ張り出す分、庫内奥行スペースは上部領域の庫内奥行スペースに対して小さく設定されている。それにともない最下位の容器７の奥行寸法も小さくなっている。
機械室１１の上方となる庫内３の後側は冷気通路１３となっている。
【００１６】
冷気通路１３の上部は冷気吹出口１５、下部は冷気循環戻り口１７となっていて冷気通路１３の内部には、蒸発器１９と、その蒸発器１９で熱交換された冷気を前記冷気吹出口１５から庫内３の上部へ吹き出す冷却ファン２１とを有している。
【００１７】
蒸発器１９は前記機械室１１内に配置された圧縮機２３及び凝縮器、絞り装置（いずれも開示していない）とにより冷凍サイクルが構成され、蒸発器１９を空気が通過する時に熱交換が行なわれるようになっている。
【００１８】
一方、各容器７は前壁面７ａ、後壁面７ｂ、両側壁面７ｃ、底面７ｄから成る上方が開放された箱状に形成されている。最下位の容器７を除いた各容器７には図４、図５に示すように後壁面７ｂと底面７ｄに冷気通過孔２５が横一列にそれぞれ複数設けられ、その冷気通過孔２５を介して冷気の出入りが行なわれるようになっている。
【００１９】
最下位の容器７は、図２、図３に示すように底面７ｄと後壁面７ｂとに冷気通過孔２７、２９が横一列にそれぞれ複数設けられている。
【００２０】
容器７の底面７ｄに設けられた冷気通過孔２７は、底面７ｄから前壁面７ａにわたって開口している。
【００２１】
この冷気通過孔２７には開口縁から上方に立上がる板状のストッパ３１を備え、このストッパ３１は、容器７内に食料品等が入れられた時に、その食料品によって前記冷気通過孔２７が直接塞がれるようになるのを阻止するようになっている。
【００２２】
底面７ｄから前壁面７ａにわたって設けられた冷気通過孔２７は、容器７の前壁面７ａに沿って流れる冷気を容器７内へ効率よく取り入れるために設けられるものであるが、この場合、図６、図７に示すように、前記容器７の前壁面７ａから底面７ｄへ続くコーナ部（仮想線）を内側へ向かって屈曲させた断面アングル状の屈曲領域部３３の垂直面にわたって設けるようにしてもよい。この断面アングル状の屈曲領域３３はコーナ部が仮想線から実線まで後退するため前壁面７ａに沿って流れる冷気を前記冷気通過孔２７へ向けて呼び入れる空間３９として機能するようになっている。
【００２３】
特に、この実施形態の場合には、冷気通過孔２７が前壁面７ａから所定距離後方へ移動したレイアウトとなる所から、図示の如く本体底部１ａに設けられ上方へ向け冷気を誘導する誘導案内部４１の上方に位置させることが望ましい。
【００２４】
これにより、前壁面７ａに沿って下降した冷気は、誘導案内部４１によって冷気通過孔２７へ向け誘導される結果、容器７内へ冷気をより効率よく取り入れることが可能となる。
【００２５】
このように構成された冷気循環式の保存庫によれば、庫内３へ吹き出された冷気は、扉９の内側に沿って下降するものと各容器７を順々に通過しながら下降するものと容器７の側方及び前壁面７ａから底面７ｄ後方向かって流れ、冷気循環戻り口１７から再び蒸発器１９に戻る循環を繰返すことで庫内３の冷却が行なわれるようになる。
【００２６】
この冷気循環時において、庫内３の扉９に沿って最下位まで下降した冷気は容器７の前壁面７ａを通過し底面７ｄ前方から後方へ向かって流れる時に、前壁面７ａにわたって開口する冷気通過孔２７によって効率よく確実に容器７の内部へ取り入れられ、内部冷却が行なわれる。
【００２７】
この結果、各容器７において温度差のない冷却状態が得られるようになる。
【００２８】
なお、この実施形態の場合、保存庫を冷凍庫としての使用状態を示したが、冷蔵庫として使用する場合であってもよい。
【００２９】
また、この発明を実施するにあたって多段に配置された庫内の最下位の容器７について説明を行なったが、仕切壁により独立した庫内に容器が１つ設けられた場合であっても実施可能である。
【００３０】
【発明の効果】
以上、説明したようにこの発明によれば、容器の前壁面から底面にわたって開口する冷気通過孔により、容器の前壁面に沿って下降してくる冷気を底面から効率よく容器内へ取り入れることが可能となり、容器内の確実な冷却状態が得られる。
【００３１】
したがって、多段に配置された各容器内の温度差による冷却むらをなくすことができる。
【図面の簡単な説明】
【図１】この発明にかかる冷気循環式保存庫の概要切断面図。
【図２】図１Ａ部の拡大説明図。
【図３】最下位の各器の概要切断面図。
【図４】最下位の容器を除いた上位側の容器の概要切断面図。
【図５】図４Ｂの拡大説明図。
【図６】冷気通過孔を屈曲領域にわたって設けられた図２と同様の拡大説明図。
【図７】図６の冷気通過孔に板状のストッパを設けた一部分の概要斜視図。
【符号の説明】
１ａ…庫内底部
３…庫内
７…容器
７ａ…前壁面
７ｄ…底面
２７…冷気通過孔
３１…板状のストッパ
３３…屈曲領域
４１…誘導案内部
【図１】
2005003315.tif 000003
【図２】
2005003315.tif 000004
【図３】
2005003315.tif 000005
【図４】
2005003315.tif 000006
【図５】
2005003315.tif 000007
【図６】
2005003315.tif 000008
【図７】
2005003315.tif 000009